(57)【要約】【課題】マスタ閃光装置に正確に同期してリモート閃光装置に閃光発光を実施させる。【解決手段】マスタ閃光装置は、所定の発光間隔で閃光発光を複数回実施するマスタ閃光発光部を有している。リモート閃光装置は、マスタ閃光発光部の閃光発光を検知する閃光発光検知部と、閃光発光検知部による検知に応答して閃光発光を実施するリモート閃光発光部とを有している。これにより、リモート閃光装置は、マスタ閃光装置に正確に同期して閃光発光を実施できる。この結果、マスタ閃光装置およびリモート閃光装置の輝度のピークがずれることを防止できる。閃光発光検知部は、発光間隔のうち第１所定時間、検知動作を禁止する。このため、ノイズ等に伴うリモート閃光発光部の誤発光を防止できる。【選択図】      図１
2005025005.tif 000002
【特許請求の範囲】
【請求項１】
マスタ閃光装置と、前記マスタ閃光装置に同期して閃光発光を実施するリモート閃光装置とを有する閃光制御システムにおいて、
前記マスタ閃光装置は、所定の発光間隔で閃光発光を複数回実施するマスタ閃光発光部を備え、
前記リモート閃光装置は、
前記マスタ閃光発光部の閃光発光を検知する閃光発光検知部と、
前記閃光発光検知部による検知に応答して閃光発光を実施するリモート閃光発光部とを備え、
前記閃光発光検知部は、前記発光間隔のうち第１所定時間、検知動作を禁止することを特徴とする閃光制御システム。
【請求項２】
請求項１記載の閃光制御システムにおいて、
前記閃光発光検知部は、検知動作の禁止を解除してから第２所定時間内に前記マスタ閃光発光部の次回の閃光発光を検知しない場合、検知動作を終了することを特徴とする閃光制御システム。
【請求項３】
請求項１記載の閃光制御システムにおいて、
前記閃光発光検知部は、前記マスタ閃光発光部の閃光発光の検知に応答して、前記第１所定時間、検知動作を禁止することを特徴とする閃光制御システム。
【請求項４】
請求項１記載の閃光制御システムにおいて、
前記マスタ閃光装置は、前記発光間隔を示す発光間隔情報を含む制御情報を、前記リモート閃光装置に送信する制御情報送信部を備え、
前記リモート閃光装置は、前記制御情報送信部からの前記制御情報を受信する制御情報受信部を備え、
前記閃光発光検知部は、前記制御情報受信部が受信した前記制御情報に含まれる前記発光間隔情報が示す前記発光間隔に応じて、前記第１所定時間を求めることを特徴とする閃光装置制御システム。
【請求項５】
請求項４記載の閃光制御システムにおいて、
前記制御情報送信部は、発光量を示す発光量情報を前記制御情報に含めて送信し、
前記リモート閃光発光部は、前記制御情報受信部が受信した前記制御情報に含まれる前記発光量情報が示す前記発光量で閃光発光を実施することを特徴とする閃光制御システム。
【請求項６】
請求項１記載の閃光制御システムにおいて、
前記リモート閃光発光部は、前記閃光発光検知部の検知動作の禁止中に、閃光発光を実施するための電荷を充電することを特徴とする閃光制御システム。
【発明の詳細な説明】
【０００１】
【発明の属する技術分野】
本発明は、マスタ閃光装置に同期してリモート閃光装置に閃光発光を実施させる閃光制御システムに関する。
【０００２】
【従来の技術】
近時、閃光装置に複数回の閃光発光（多重発光またはマルチ発光）を実施させる閃光制御システムは、動作中の被写体の軌跡を連続的に撮影するために、広く普及している。このような閃光制御システムでは、カメラのシャッターを開いたままにしたり、あるいはカメラのシャッター速度を数秒程度に設定したりして、その間にマルチ発光を閃光装置に実施させることで、動作中の被写体の軌跡を連続的に撮影できる。また、閃光制御システムは、十分な露光量を得るため、あるいは被写体の後側に影ができることを防止するために、マスタ閃光装置およびリモート閃光装置を有し、これらの閃光装置にマルチ発光を同期して実施させる（例えば、特許文献１参照）。
【０００３】
この種の閃光制御システムでは、マスタ閃光装置は、撮影開始前に、発光周波数、発光回数および発光量などに関する制御情報をリモート閃光装置に送信する。リモート閃光装置は、マスタ閃光装置のマルチ発光の開始に同期して、マルチ発光を開始する。そして、マスタ閃光装置およびリモート閃光装置は、制御情報に基づいて、所定の発光周波数および発光量で、所定の発光回数の閃光発光を独立して実施する。
【０００４】
また、マスタ閃光装置は、バルブ撮影などのようにシャッターの開放時間を特定できず、発光回数を予め設定できない場合、撮影の終了に伴って発光停止信号をリモート閃光装置に送信する。リモート閃光装置は、発光停止信号の受信に応答して、閃光発光を終了する。
【特許文献１】
特開２０００−８９３１０号公報
【０００５】
【発明が解決しようとする課題】
しかしながら、前述の閃光制御システムでは、リモート閃光装置は、マスタ閃光装置の最初の閃光発光に応答して最初の閃光発光を実施し、２回目以降の閃光発光をマスタ閃光装置とは独立して実施する。このため、マスタ閃光装置およびリモート閃光装置にそれぞれ内蔵されるマイクロコントローラ同士の微少な動作周波数差に伴って、リモート閃光装置の発光タイミングは、マスタ閃光装置の発光タイミングに対してずれていく。このため、マスタ閃光装置およびリモート閃光装置の輝度のピークがずれてしまう。
【０００６】
また、マスタ閃光装置は、バルブ撮影などのように発光回数を予め設定できない場合、発光停止信号の送信という特別な処理を実施しなければならない。特に、部品コスト削減などのために発光停止信号が閃光発光により送信される場合、閃光発光のためのエネルギーが消耗するうえに、余計な写り込みが生じてしまう恐れがある。
【０００７】
本発明の目的は、リモート閃光装置がマスタ閃光装置に正確に同期して閃光発光を実施できる閃光制御システムを提供することにある。
本発明の別の目的は、マスタ閃光装置が特別な処理を実施することなく、リモート閃光装置が閃光発光を終了できる閃光制御システムを提供することにある。
【０００８】
【課題を解決するための手段】
前述の課題を解決するために、本発明は以下のように構成される。
【０００９】
請求項１の閃光制御システムは、マスタ閃光装置と、前記マスタ閃光装置に同期して閃光発光を実施するリモート閃光装置とを有する閃光制御システムにおいて、前記マスタ閃光装置は、所定の発光間隔で閃光発光を複数回実施するマスタ閃光発光部を備え、前記リモート閃光装置は、前記マスタ閃光発光部の閃光発光を検知する閃光発光検知部と、前記閃光発光検知部による検知に応答して閃光発光を実施するリモート閃光発光部とを備え、前記閃光発光検知部は、前記発光間隔のうち第１所定時間、検知動作を禁止することを特徴とする。
【００１０】
請求項２の閃光制御システムは、請求項１記載の閃光制御システムにおいて、前記閃光発光検知部は、検知動作の禁止を解除してから第２所定時間内に前記マスタ閃光発光部の次回の閃光発光を検知しない場合、検知動作を終了することを特徴とする。
請求項３の閃光制御システムは、請求項１記載の閃光制御システムにおいて、前記閃光発光検知部は、前記マスタ閃光発光部の閃光発光の検知に応答して、前記第１所定時間、検知動作を禁止することを特徴とする。
【００１１】
請求項４の閃光制御システムは、請求項１記載の閃光制御システムにおいて、前記マスタ閃光装置は、前記発光間隔を示す発光間隔情報を含む制御情報を、前記リモート閃光装置に送信する制御情報送信部を備え、前記リモート閃光装置は、前記制御情報送信部からの前記制御情報を受信する制御情報受信部を備え、前記閃光発光検知部は、前記制御情報受信部が受信した前記制御情報に含まれる前記発光間隔情報が示す前記発光間隔に応じて、前記第１所定時間を求めることを特徴とする。
【００１２】
請求項５の閃光制御システムは、請求項４記載の閃光制御システムにおいて、前記制御情報送信部は、発光量を示す発光量情報を前記制御情報に含めて送信し、前記リモート閃光発光部は、前記制御情報受信部が受信した前記制御情報に含まれる前記発光量情報が示す前記発光量で閃光発光を実施することを特徴とする。
【００１３】
請求項６の閃光制御システムは、請求項１記載の閃光制御システムにおいて、前記リモート閃光発光部は、前記閃光発光検知部の検知動作の禁止中に、閃光発光を実施するための電荷を充電することを特徴とする。
【００１４】
【発明の実施の形態】
以下、図面を用いて本発明の実施形態を説明する。
【００１５】
図１は、本発明の閃光制御システムの一実施形態を示している。
閃光制御システム１０は、カメラ１２のホットシュー１２ａに接続されるマスタ閃光装置１４およびリモート閃光装置１６から構成されている。ホットシュー１２ａには、撮影の開始および終了（実際には、シャッター先幕の走行完了およびシャッター後幕の走行開始）をマスタ閃光装置１４に伝達するためのシンクロ接点、およびマスタ閃光装置１４との間で情報を授受するための通信接点が設けられている。
【００１６】
マスタ閃光装置１４は、操作部１４ａ、マスタ用マイクロコントローラ１４ｂ（以下、マスタ用マイコン１４ｂと記述する）、マスタ閃光発光部１４ｃを有している。
操作部１４ａは、マスタ閃光装置としての機能設定やマスタ閃光装置１４を動作させる制御情報（発光間隔を示す発光間隔情報および発光量を示す発光量情報を含む）を操作者が入力するためのインタフェースとして機能する。
【００１７】
マスタ用マイコン１４ｂは、制御情報に基づいて、充電許可信号ＭＣＥ、発光許可信号ＭＦＥをそれぞれ出力する。制御情報は、カメラ１２からホットシュー１２ａの通信接点を介して与えられてもよいし、操作部１４ａから直接与えられてもよい。また、マスタ用マイコン１４ｂは、撮影の開始前に、制御情報を送信データ信号ＴＤとしてマスタ閃光発光部１４ｃに出力する。
【００１８】
マスタ閃光発光部１４ｃは、充電許可信号ＭＣＥの活性化に応答して、閃光発光を実施するための電荷を充電する。マスタ閃光発光部１４ｃは、発光許可信号ＭＦＥの活性化に応答して、閃光発光を実施する。また、マスタ閃光発光部１４ｃは、制御情報送信部としても機能し、送信データ信号ＴＤを閃光発光によりリモート閃光装置１６に伝達する。
【００１９】
リモート閃光装置１６は、マスタ閃光装置１４（およびカメラ１２）から離れた位置に配置され、操作部１６ａ、リモート用マイクロコントローラ１６ｂ（以下、リモート用マイコン１６ｂと記述する）、リモート閃光発光部１６ｃ、閃光発光検知部１６ｄおよび制御情報受信部１６ｅを有している。
操作部１６ａは、リモート閃光装置としての機能設定を操作者が入力するためのインタフェースとして機能する。
【００２０】
リモート用マイコン１６ｂは、制御情報および検知信号ＤＴに基づいて、充電許可信号ＲＣＥ、発光許可信号ＲＦＥ、検知許可信号ＤＥおよび受信許可信号ＲＥをそれぞれ出力する。制御情報は、マスタ閃光装置１４から後述する制御情報受信部１６ｅを介して与えられる。また、リモート用マイコン１６ｂは、タイマＴＭ１、ＴＭ２を内蔵している。タイマＴＭ１、ＴＭ２の動作については、図２および図３で説明する。
【００２１】
リモート閃光発光部１６ｃは、充電許可信号ＲＣＥの活性化に応答して、閃光発光を実施するための電荷を充電する。リモート閃光発光部１６ｂは、発光許可信号ＲＦＥの活性化に応答して、閃光発光を実施する。
閃光発光検知部１６ｄは、検知許可信号ＤＥの活性化に応答して、マスタ閃光発光部１４ｃの閃光発光（マルチ発光撮影のための閃光発光）を検知する検知動作を開始する。閃光発光検知部１６ｄは、マスタ閃光発光部１４ｃの閃光発光を検知したときに、ワンショットパルス信号である検知信号ＤＴをリモート用マイコン１６ｂに出力する。
【００２２】
制御情報受信部１６ｅは、受信許可信号ＲＥの活性化に応答して、マスタ閃光発光部１４ｃの閃光発光（制御情報送信のための閃光発光）を受光する受光動作を開始する。制御情報受信部１６ｅは、受光したマスタ閃光発光部１４ｃの閃光発光をデコードし、受信データ信号ＲＤとしてリモート用マイコン１６ｂに出力する。
ここで、閃光制御システム１０のマルチ発光撮影時の動作について説明する。なお、マスタ閃光装置１４は、操作部１４ａを介して、閃光発光を複数回実施するマルチ発光モードに予め設定され、マルチ発光時の発光間隔Ｔ０および発光量を予め設定されているものとする。
【００２３】
図２は、閃光制御システム１０のマルチ発光撮影時の動作を示している。波形Ｗ１は、カメラ１２のミラーの動作を示しており、ミラーダウン状態を低レベル、ミラーアップ状態を高レベルで表している。波形Ｗ２は、カメラのシャッター先幕および後幕の動作をそれぞれ示しており、走行前の状態を低レベル、走行後の状態を高レベルで表している。波形Ｗ３は、ホットシュー１２ａのシンクロ接点の動作を示しており、オープン（導通）状態を高レベル、ショート（遮断）状態を低レベルで表している。波形Ｗ４は、マスタ閃光発光部１４ｃの閃光発光を示している。波形Ｗ５は、リモート閃光発光部１６ｃの閃光発光を示している。
【００２４】
時刻Ｔａにおいて、カメラ１２は、撮影を開始するためにミラーアップを開始するとともに、ホットシュー１２ａの通信接点を介してマスタ用マイコン１４ｂにミラーアップ開始を伝達する。
マスタ用マイコン１４ｂは、カメラ１２のミラーアップ開始を認識すると、制御情報（発光間隔情報および発光量情報を含む）を示す送信データ信号ＴＤをマスタ閃光発光部１４ｃに出力する。制御情報は、マスタ閃光発光部１４ｃの閃光発光により制御情報受信部１６ｅに送信される。そして、リモート用マイコン１６ｂは、制御情報受信部１６ｅからの受信データ信号ＲＤにより制御情報を得る。
【００２５】
時刻Ｔｂにおいて、リモート用マイコン１６ｂは、検知許可信号ＤＥを高レベルに活性化させ、受信許可信号ＲＥを低レベルに非活性化させる。これにより、閃光発光検知部１６ｄは、検知動作を開始し、制御情報受信部１６ｅは、受光動作を停止する。
時刻Ｔｃにおいて、カメラ１２は、ミラーアップを完了すると、シャッター先幕の走行を開始する。
【００２６】
時刻Ｔｄにおいて、カメラ１２は、シャッター先幕の走行を完了すると、ホットシュー１２ａのシンクロ接点を介してシャッター先幕の走行完了をマスタ用マイコン１４ｂに伝達する。すなわち、カメラ１２は、ホットシュー１２ａのシンクロ接点をショート状態にする。
マスタ用マイコン１４ｂは、シャッター先幕の走行完了を認識すると、充電許可信号ＭＣＥおよび発光許可信号ＭＦＥにより、マスタ閃光発光部１４ｃに所定の発光間隔Ｔ０および所定の発光量のマルチ発光を開始させる。
【００２７】
閃光発光検知部１６ｄは、マスタ閃光発光部１４ｃの最初の閃光発光を検知すると、検知信号ＤＴ（活性化レベル：高レベル）を出力する。リモート用マイコン１６ｂは、検知信号ＤＴの活性化に応答して、発光許可信号ＲＦＥを高レベルに活性化させ、検知許可信号ＤＥを低レベルに非活性化させる。これにより、リモート閃光発光部１６ｃは、所定の発光量の閃光発光を開始し、閃光発光検知部１６ｄは、検知動作を停止する。
【００２８】
また、リモート用マイコン１６ｂは、第１所定時間Ｔ１の経過を認識するために、タイマＴＭ１にカウント動作を開始させる。ここで、第１所定時間は、リモート用マイコン１６ｂにより発光間隔Ｔ０に応じて予め求められている。
時刻Ｔｅにおいて、リモート用マイコン１６ｂは、発光許可信号ＲＦＥを低レベルに非活性化させ、充電許可信号ＲＣＥを高レベルに活性化させる。これにより、リモート閃光発光部１６ｃは、発光動作を停止し、充電動作を再開する。
【００２９】
時刻Ｔｆ（閃光発光検知部１６ｄによる検知（時刻Ｔｄ）から第１所定時間Ｔ１後）において、リモート用マイコン１６ｂは、検知許可信号ＤＥを高レベルに活性化させ、充電許可信号ＲＣＥを低レベルに非活性化させる。これにより、閃光発光検知部１６は、マスタ閃光発光部１４ｃの次回の閃光発光を検知するために検知動作を再開し、リモート閃光発光部１６ｃは、充電動作を停止する。
【００３０】
この後、リモート閃光装置１６は、マスタ閃光装置１４が閃光発光を実施する毎に、マスタ閃光装置１４の閃光発光を検知し、閃光発光を実施する。このため、リモート閃光装置１６は、マスタ閃光装置１４に正確に同期して閃光発光を実施する。
時刻Ｔｇにおいて、カメラ１２は、シャッター後幕の走行を開始するとともに、ホットシュー１２ａのシンクロ接点を介してシャッター後幕の走行開始をマスタ用マイコン１４ｂに伝達する。すなわち、カメラ１２は、ホットシュー１２ａのシンクロ接点をオープン状態にする。
【００３１】
マスタ用マイコン１４ｂは、シャッター後幕の走行開始を認識すると、充電許可信号ＭＣＥおよび発光許可信号ＭＦＥにより、マスタ閃光発光部１４ｃにマルチ発光を終了させる。
時刻Ｔｈ（閃光発光検知部１６ｄによる前回の検知から第１所定時間Ｔ１後）において、リモート用マイコン１６ｂは、検知許可信号ＤＥを高レベルに活性化させ、充電許可信号ＲＣＥを低レベルに非活性化させる。これにより、閃光発光検知部１６ｄは、検知動作を再開し、リモート閃光発光部１６ｃは、充電動作を停止する。
【００３２】
また、リモート用マイコン１６ｂは、第２所定時間Ｔ２の経過を認識するために、タイマＴＭ２にカウント動作を開始させる。
時刻Ｔｉ（閃光発光検知部１６ｄの検知動作再開（時刻Ｔｈ）から第２所定時間Ｔ２後）において、リモート用マイコン１６ｂは、時刻Ｔｈから時刻Ｔｉまでの間に閃光発光検知部１６ｄによりマスタ閃光発光部１４ｃの閃光発光が検知されなかった（検知信号ＤＴが活性化されなかった）ため、マスタ閃光発光部１４ｃのマルチ発光終了を認識し、検知許可信号ＤＥを低レベルに非活性化させる。これにより、閃光発光検知部１６ｄは、検知動作を終了する。すなわち、リモート閃光装置１６は、マスタ閃光装置１４のマルチ発光終了を認識し、自身もマルチ発光を終了する。
【００３３】
また、リモート用マイコン１６ｂは、受信許可信号ＲＥおよび充電許可信号ＲＣＥを高レベルに活性化させる。これにより、制御情報受信部１６ｅは、受光動作を再開し、リモート閃光発光部１６ｃは、充電動作を再開する。
時刻Ｔｊにおいて、カメラ１２は、ミラーダウンなどの動作を実施し、撮影を終了する。
【００３４】
図３は、リモート用マイコン１６ｂのマルチ発光撮影時の内部処理を示している。
リモート用マイコン１６ｂは、制御情報受信部１６ｅからの受信データ信号ＲＤにより制御情報を得た後、以下のように動作する。
ステップＳ１０において、リモート用マイコン１６ｂは、検知信号ＤＴが高レベル（”Ｈ”）に活性化されるまで待機する。分岐条件が満たされると、処理はステップＳ２０に移行する。
【００３５】
ステップＳ２０において、リモート用マイコン１６ｂは、発光許可信号ＲＦＥを高レベル（”Ｈ”）に活性化させ、検知許可信号ＤＥを低レベル（”Ｌ”）に非活性化させる。また、リモート用マイコン１６ａは、タイマＴＭ１にカウント動作を開始させる。この後、処理はステップＳ３０に移行する。
ステップＳ３０において、リモート用マイコン１６ｂは、発光許可信号ＲＦＥを低レベル（”Ｌ”）に非活性化させ、充電許可信号ＲＣＥを高レベル（”Ｈ”）に活性化させる。この後、処理はステップＳ４０に移行する。
【００３６】
ステップＳ４０において、リモート用マイコン１６ｂは、タイマＴＭ１のカウント値ＣＮＴ１が第１所定時間Ｔ１に対応する値と一致するまで待機する。分岐条件が満たされると、処理はステップＳ５０に移行する。なお、タイマＴＭ１は、カウント値ＣＮＴ１が第１所定時間Ｔ１に対応する値と一致したときに、カウント動作の停止およびカウント値ＣＮＴ１の初期化を自動的に実施する。
【００３７】
ステップＳ５０において、リモート用マイコン１６ｂは、検知許可信号ＤＥを高レベル（”Ｈ”）に活性化させ、充電許可信号ＲＣＥを低レベル（”Ｌ”）に非活性化させる。また、リモート用マイコン１６ａは、タイマＴＭ２にカウント動作を開始させる。この後、処理はステップＳ６０に移行する。
ステップＳ６０において、リモート用マイコン１６ｂは、検知信号ＤＴが高レベル（”Ｈ”）に活性化されたか否かを判定する。分岐条件が満たされた場合、処理はステップＳ２０に移行する。分岐条件が満たされなかった場合、処理はステップＳ７０に移行する。
【００３８】
ステップＳ７０において、リモート用マイコン１６ｂは、タイマＴＭ２のカウント値ＣＮＴ２が第２所定時間Ｔ２に対応する値と一致したか否かを判定する。分岐条件が満たされた場合、処理はステップＳ８０に移行する。分岐条件が満たされなかった場合、処理はステップＳ６０に移行する。
なお、タイマＴＭ２は、検知信号ＤＴが高レベルに活性化されたとき、あるいはタイマＴＭ２のカウント値ＣＮＴ２が第２所定時間Ｔ２に対応する値と一致したときに、カウント動作の停止およびカウント値ＣＮＴ２の初期化を自動的に実施する。
【００３９】
ステップＳ８０において、リモート用マイコン１６ｂは、検知許可信号ＤＥを低レベル（”Ｌ”）に非活性化させ、受信許可信号ＲＥおよび充電許可信号ＲＣＥを共に高レベル（”Ｈ”）に活性化させる。これにより、リモート用マイコン１６ａの内部処理は完了する。
以上、前述の実施形態では、次の効果が得られる。
【００４０】
リモート用マイコン１６ｂは、検知信号ＤＴの活性化に応答して発光許可信号ＲＦＥを活性化させることで、リモート閃光発光１６ｃに閃光発光を実施させる。このため、リモート閃光装置１６は、マスタ閃光装置１４に正確に同期して閃光発光を実施できる。この結果、マスタ閃光装置１４とリモート閃光装置１６との輝度のピークがずれることを防止できる。
【００４１】
閃光発光検知部１６ｄは、発光間隔Ｔ０のうち第１所定時間Ｔ１、検知動作を禁止する。すなわち、閃光発光検知部１６ｄは、必要最小限の期間のみ検知動作を実施する。このため、閃光発光検知部１６ｄがノイズ等を検知してしまい、リモート閃光発光部１６ｃが不必要な閃光発光を実施してしまうことを防止できる。
マスタ閃光発光部１４ｃを制御情報送信部としても機能させることで、マスタ閃光装置１４の部品コストを削減できる。
【００４２】
リモート用マイコン１６ｂは、タイマＴＭ２のカウンタ値ＣＮＴ２が第２所定時間Ｔ２に対応する値と一致したときに、マスタ閃光発光部１４ｃのマルチ発光終了を認識する。このため、マスタ閃光装置１４において、リモート閃光装置１６にマルチ光発光を終了させるために、発光停止信号を閃光発光により送信するなどの特別な処理は不要になる。従って、発光停止信号を送信するための閃光発光に伴う不要な写り込みを回避できる。
【００４３】
リモート用マイコン１６ｂは、検知信号ＤＴの活性化に応答して検知許可信号ＤＥを非活性化させる。このため、閃光発光検知部１６ｄは、マスタ閃光発光部１４ｃの閃光発光を検知した直後に、検知動作を禁止する。この結果、閃光発光部１６ｄは、検知動作の実施期間を最小にできる。従って、ノイズ等に伴うリモート閃光発光部１６ｃの誤発光の防止効果を向上できる。
【００４４】
マスタ閃光装置１４は制御情報送信部（マスタ閃光発光部１４ｃに統合）を有し、リモート閃光装置１６は制御情報受信部１６ｅを有している。このため、リモート閃光装置１６の操作部１６ａを操作することなく、マスタ閃光装置１４から制御情報をリモート閃光装置１６に与えることができる。
リモート閃光発光部１６ｃは、閃光発光検知部１６ｄの検知動作の禁止中に、充電動作を実施する。このため、リモート閃光発光部１６ｃが充電エネルギーの不足により次回以降の閃光発光を実施できなくなることを防止できる。
【００４５】
なお、前述の実施形態では、マスタ閃光装置１４およびリモート閃光装置１６は、閃光発光により制御情報を送受信する例について述べた。本発明は、かかる実施形態に限定されるものではない。例えば、マスタ閃光装置およびリモート閃光装置は、無線通信により制御情報を送受信してもよい。
前述の実施形態では、リモート閃光装置１６が閃光発光検知部１６ｄと制御情報受信部１６ｅとを個別に有する例について述べた。本発明は、かかる実施形態に限定されるものではない。例えば、リモート閃光装置は、閃光発光検知部が制御情報受信部としても機能するように構成されてもよい。
【００４６】
前述の実施形態では、リモート閃光装置１６は、マスタ閃光装置１４から制御情報受信部１６ｅを介して制御情報を得る例について述べた。本発明は、かかる実施形態に限定されるものではない。例えば、制御情報は、操作部１６ａから直接与えられてもよい。
以上、本発明について詳細に説明してきたが、前述の実施形態およびその変形例は発明の一例に過ぎず、本発明はこれに限定されるものではない。本発明を逸脱しない範囲で変形可能であることは明らかである。
【００４７】
【発明の効果】
本発明の閃光制御システムでは、リモート閃光装置は、マスタ閃光装置に正確に同期して閃光発光を実施できる。このため、マスタ閃光装置およびリモート閃光装置の輝度のピークがずれることを防止できる。また、リモート閃光発光部がノイズ等に伴って誤発光することを防止できる。
【図面の簡単な説明】
【図１】本発明の閃光制御システムの一実施形態を示す構成図である。
【図２】図１の閃光制御システムのマルチ発光撮影時の動作を示すタイミングチャートである。
【図３】図１のリモート用マイクロコントローラのマルチ発光撮影時の内部処理を示すフローチャートである。
【符号の説明】
１０  閃光制御システム
１２  カメラ
１２ａ  ホットシュー
１４  マスタ閃光装置
１４ａ  操作部
１４ｂ  マスタ用マイクロコントローラ
１４ｃ  マスタ閃光発光部
１６  リモート閃光装置
１６ａ  操作部
１６ｂ  リモート用マイクロコントローラ
１６ｃ  リモート閃光発光部
１６ｄ  閃光発光検知部
１６ｅ  制御情報受信部
ＤＥ  検知許可信号
ＤＴ  検知信号
ＭＣＥ、ＲＣＥ    充電許可信号
ＭＦＥ、ＲＦＥ    発光許可信号
ＲＥ  受信許可信号
ＲＤ  受信データ信号
ＴＤ  送信データ信号
ＴＭ１、ＴＭ２    タイマ
【図１】
2005025005.tif 000003
【図２】
2005025005.tif 000004
【図３】
2005025005.tif 000005